(57)【要約】【課題】  予め載置コマを配置すべき箇所を印字したゲームシートを内部に収納可能であり天板上部から視認可能とするゲーム装置とすることで、数字並べなどのゲームを手軽に行ない、また、ゲームを行わないときにも見た目に興味を引くゲーム装置を提供する。【解決手段】  天板下方を視認可能なコマ置部を有する天板113と、１から９までの数字が記載されているゲームシート200と、１から９までの数字が記載された載置コマ300とから構成され、前記天板113には、コマ置部119を、３行３列を１グループとして、縦に３グループ、横に３グループが配置される。そして、コマ置部119は、その中心に透孔121が穿設され、この透孔121の周縁に段部が形成される。またグループ内のコマ置部相互の間隔よりも、グループ相互間の間隔の方が広いものである。また、前記装置本体100は、本体部110と引出部130とを備えるゲーム装置である。【選択図】    図１
2007068694.tif 000002
【特許請求の範囲】
【請求項１】
天板下方を視認可能なコマ置部を有する天板と、（ｎ×ｎ）種類の絵柄や文字がランダムに記載されたゲームシートと載置コマとから構成され、前記天板には、載置コマの底面形状と略一致するコマ置部を、ｎ行ｎ列を１グループとして、縦にｎグループ、横にｎグループが配置されることを特徴とする、ゲーム装置。
【請求項２】
前記ゲームシートは、絵柄や文字が異なるランダムな配置とされるシートと共に、別途、（ｎ×ｎ）行（ｎ×ｎ）列のマスが描かれ、文字を書き込み可能とされたシートをも含むことを特徴とする、請求項１に記載のゲーム装置。
【請求項３】
天板には８１個のコマ置部を有すると共に、ゲームシートと載置コマに記載される絵柄や文字は9種であって、前記載置コマは各絵柄や文字の種類毎に９個ずつ組み合わされていることを特徴とする、請求項１または２記載のゲーム装置。
【請求項４】
載置コマやゲームシートに記載される絵柄や文字が１から９までの数字であることを特徴とする、請求項３に記載のゲーム装置。
【請求項５】
コマ置部は、その中心に四角形状の透孔が穿設され、この透孔の周縁に段部が形成されて載置部が設けられ、グループ内のコマ置部相互の間隔よりも、グループ相互間の間隔の方が広いことを特徴とする、請求項１乃至４の何れかに記載のゲーム装置。
【請求項６】
天板の周縁から下方に延設される側壁を有する装置本体を有し、この装置本体の内部に備える前記ゲームシートを有することを特徴とする、請求項１乃至５の何れかに記載のゲーム装置。
【請求項７】
前記装置本体は、本体部と引出部とを備え、前記本体部は、四角形状の天板と３つの側壁とが一体として形成され、残る１つの側面を開口とし、引き出し部は、四角形状の底面部と、この底面部の一辺に前記開口を塞いで側壁の一部を形成する持ち手部と、この持ち手部と対向する辺に形成される当止壁とから構成されることを特徴とする、請求項６記載のゲーム装置。
【発明の詳細な説明】
【技術分野】
【０００１】
本発明は、一定のルールの下で数字を揃えるゲームのゲーム装置であって、尚詳しくは、例えば正方形のマスが９行９列に配設されており、さらにこのマスが縦に３個、横に３個の９グループに分けられているシートを用いるものであり、このいくつかのマスには予め１から９の数字がランダムに記載されており、この予め記載された数字を元にして、どの行にも、どの列にも、そしてどのグループにも同じ数字が重なることのないように、１から９の数字をマスに埋めていくゲームを行うゲーム装置に関する。
【背景技術】
【０００２】
「数独」または「ナンバー・プレース」という名称で親しまれている数字ゲームがある。このゲームは、正方に配設されたマスに、一定のルールの下で数字を埋めていくゲームである。
【０００３】
そのルールは以下の通りである。
正方形のマスが９行９列に配列されるシートであって、この８１個のマスが、縦と横に３グループずつ、合計９グループに分けられているシートを用いる。
そして、このいくつかのマスには予め１から９の数字がいくつか記載されており、この予め記載された数字を元にして、どの行にも、どの列にも、そしてどのグループにも同じ数字が重なることのないように、１から９の数字をマスに埋めていくゲームである。
【０００４】
なお、シートのマスの配列は、マスが４行４列に配列され、この１６個のマスが、縦と横に２グループずつ、合計４グループに分けられているものや、マスが16行16列に配列され、この256個のマスが、縦と横に４グループずつ、合計16グループに分けられているものや、マスが25行25列に配列され、この625個のマスが、縦と横に５グループずつ、合計25グループに分けられているものなどがあり、マスの数が多くなるほど難易度は上昇する。
【０００５】
また、従来からゲームを行うことのできるゲーム板としては特許文献１記載のゲーム板がある。このゲーム板は、天板に凹部がコマ置部として形成されて、このコマ置部が正方に複数個配列され、この天板の周縁から下方に向けて脚部が延設されるものであり、このゲーム板のコマ置部にコマを載置してゲームを楽しむものである。
【０００６】
このように、コマ置部を設けるといっても、コマを安定して載置することを目的とするのみであった。
このようなゲーム板では、上記に示した数字ゲームのように、ゲームの開始前にコマ置部の一部を予め埋めておくゲームであって、初期のコマの配置が複数のパターンを有するゲームの場合には、その初期のコマの配置を記載した別紙を参照しながら、ゲーム板にコマを配置するしかなく、ゲームの準備に手間がかかり、ゲームを容易に楽しむことが出来なかった。
【特許文献１】実開昭６２−５４７８４
【発明の開示】
【発明が解決しようとする課題】
【０００７】
そこで本発明に係るゲーム装置は、予め載置コマを配置すべき箇所を印字したゲームシートを内部に収納可能であり天板上部から視認可能とするゲーム装置とすることで、ゲーム板へのコマの配置を容易とし、数字並べなどのゲームを手軽に行ない、また、ゲームを行なわないときにも見た目に興味を引くゲーム装置を提供する。
【課題を解決するための手段】
【０００８】
この課題を解決するための手段としては、天板下方を視認可能なコマ置部を有する天板と、（ｎ×ｎ）種類の絵柄や文字がランダムに記載されたゲームシートと載置コマとから構成され、前記天板には、載置コマの底面形状と略一致する載置部を、ｎ行ｎ列を１グループとして、縦にｎグループ、横にｎグループが配置されるゲーム装置とする。
【０００９】
また、前記ゲームシートは、絵柄や文字が異なるランダムな配置とされるシートと共に、別途、（ｎ×ｎ）行（ｎ×ｎ）列のマスが描かれ、文字を書き込み可能とされたシートをも含むものとしてもよい。
【００１０】
また、天板には８１個のコマ置部を有すると共に、ゲームシートと載置コマに記載される絵柄や文字は9種であって、前記載置コマは各絵柄や文字の種類毎に９個ずつ組み合わされているものとしてもよい。
【００１１】
また、載置コマやゲームシートに記載される絵柄や文字が１から９までの数字であるものとしてもよい。
【００１２】
また、コマ置部は、その中心に四角形状の透孔が穿設され、この透孔の周縁に段部が形成されて載置部が設けられ、グループ内のコマ置部相互の間隔よりも、グループ相互間の間隔の方が広いものとしてもよい。
【００１３】
また、天板の周縁から下方に延設される側壁を有する装置本体を有し、この装置本体の内部に備える前記ゲームシートを有するものとしてもよい。
【００１４】
また、前記装置本体は、本体部と引出部とを備え、前記本体部は、四角形状の天板と３つの側壁とが一体として形成され、残る１つの側面を開口とし、引き出し部は、四角形状の底面部と、この底面部の一辺に前記開口を塞いで側壁の一部を形成する持ち手部と、この持ち手部と対向する辺に形成される当止壁とから構成されるものとしてもよい。
【発明の効果】
【００１５】
天板下方を視認可能なコマ置部を有する天板と、（ｎ×ｎ）種類の絵柄や文字がランダムに記載されたゲームシートと載置コマとから構成され、前記天板には、載置コマの底面形状と略一致する載置部を、ｎ行ｎ列を１グループとして、縦にｎグループ、横にｎグループが配置されることにより、天板の下にゲームシートを敷くことで、天板の上側からゲームシートを視認することができ、このゲームシートに記載された絵柄や文字にあわせて載置コマを天板のコマ置部に載置し、そして、載置部のどの行にも、どの列にも、そしてどのグループにも同じ絵柄や文字が重なることのないように、載置コマを載置部に載置するゲームを容易に楽しむことが出来る。
【００１６】
前記ゲームシートは、絵柄や文字が異なるランダムな配置とされるシートと共に、別途、（ｎ×ｎ）行（ｎ×ｎ）列のマスが描かれ、文字を書き込み可能とされたシートをも含むものとされ、これにより、絵柄や文字が配置されたシートを天板の下に敷くことで、シートに配置された絵柄や文字を初期条件としてゲームを楽しむことが可能となり、また、書き込み可能とされたシートに遊戯者がゲーム開始前に、新聞・雑誌・インターネットなどで紹介されている数字の配置をホワイトボード用マーカーなどで書き込むことで、自分の好きな初期条件の下でのゲームを楽しむことが可能となる。
【００１７】
また、天板には８１個のコマ置部を有すると共に、ゲームシートと載置コマに記載される絵柄や文字は9種であって、前記載置コマは各絵柄や文字の種類毎に９個ずつ組み合わされているものとしてもよく、これにより、適度な難易度の数合わせゲームを楽しむことを可能とする。
【００１８】
そして、載置コマやゲームシートに記載される絵柄や文字が１から９までの数字であるものとしてもよく、これにより、このゲームシートに記載された数字にあわせて載置コマを天板のコマ置部に載置し、そして、載置部のどの行にも、どの列にも、そしてどのグループにも同じ数字が重なることのないように、載置コマを載置部に載置するゲームを容易に楽しむことが出来る。
【００１９】
またコマ置部は、その中心に四角形状の透孔が穿設され、この透孔の周縁に段部が形成されて載置部が設けられ、グループ内のコマ置部相互の間隔よりも、グループ相互間の間隔の方が広いものとしてもよく、これにより、コマ置部がグループに分けられていることを視覚的に認識させることが出来、したがって、ゲームをより一層手軽に行うことができる。
【００２０】
そして、天板の周縁から下方に延設される側壁を有する装置本体を有し、この装置本体の内部に備える前記ゲームシートを有するものとしてもよく、これにより、ゲームシートの収納空間を確保すると同時に、一番上に重ねられたゲームシートが天板の上部から視認可能であるため、ゲームシートを装置本体に収納したままゲームを楽しむことができる。
【００２１】
また前記装置本体は、本体部と引出部とを備え、前記本体部は、四角形状の天板と３つの側壁とが一体として形成され、残る１つの側面を開口とし、引き出し部は、四角形状の底面部と、この底面部の一辺に前記開口を塞いで側壁の一部を形成する持ち手部と、この持ち手部と対向する辺に形成される当止壁とから構成されるものとしてもよく、これにより、ゲームシートの入れ替えを容易とすることができる。
【発明を実施するための最良の形態】
【００２２】
本発明に係るゲーム装置の最良の形態は、以下の構成からなるゲーム装置である。
天板下方を視認可能なコマ置部を有する天板と、１から９までの数字が数個ずつランダムに記載されているゲームシートと、１から９までの数字が記載された載置コマとから構成され、前記天板には、載置コマの底面形状と略一致する載置部を、３行３列を１グループとして、縦に３グループ、横に３グループが配置される。そして、コマ置部は、その中心に四角形状の透孔が穿設され、この透孔の周縁に段部が形成されて載置部が設けられ、グループ内のコマ置部相互の間隔よりも、グループ相互間の間隔の方が広いものである。また、前記装置本体は、本体部と引出部とを備え、前記本体部は、四角形状の天板と３つの側壁とが一体として形成され、残る１つの側面を開口とする。そして、引き出し部は、四角形状の底面部と、この底面部の一辺に前記開口を塞いで側壁の一部を形成する持ち手部と、この持ち手部と対向する辺に形成される当止壁とから構成されるゲーム装置である。
【実施例１】
【００２３】
以下、本発明に係るゲーム装置の実施例の構造を図１から図７を用いて説明する。
【００２４】
本発明に係るゲーム装置は、図１に示すように、９行９列にコマ置部119が配設される天板113を有する筐体である装置本体100と、この装置本体100内部に備えるゲームシート200と、このコマ置部119に載置する載置コマ300とからなるゲーム装置である。
【００２５】
装置本体100は、図２に示すように、内部に空間を有する四角錐台形状であり、四角形状の天板113と３つの側壁とが一体として形成され１つの側面を開口とする本体部110と、この開口部に設置される引出部130とからなる。
【００２６】
本体部110は、四角形状の天板113と３つの側壁とが一体として形成され、残る１つの側面を開口とするものである。
【００２７】
天板113はコマ置部119が９行９列に配設されるものである。
このコマ置部119は、図３に示すように、天板の奥のゲームシートが見えるように四角状の透孔121が穿設され、この透孔121の周縁に段部を形成して載置部123が設けられるものであり、この載置部123に載置コマを載置可能とするものである。
【００２８】
このコマ置部119の配設方法は、コマ置部119を３行３列に一定の間隔で配設して１グループとし、このグループをさらに３行３列で配設して９グループとする。このとき各グループ相互間の間隔がグループ内のコマ置部119同士の間隔よりも広くされることで、各グループが区切られるものとする。
これにより、81個のコマ置部119が９グループに分けられていることを視覚的に認識させることが出来る。したがって、ゲームをより一層手軽に行うことができる。
なお、グループ毎の区切りは、グループ相互間の間隔を広げる場合のみでなく、グループ相互間の間に線を引くことや、色分けをするものとしてもよく、また溝を設けるものとしてもよい。
【００２９】
引出部130は、図２に示したように、すのこ状に棒状突出部が列設される四角形状の底面部133と、この底面部133の一辺に形成される持ち手部と、この持ち手部と対向する辺に形成される当止壁139とから構成される。
これらの壁と底面部133とより、図４に示すように、ゲームシート200を収納する為の収納空間を構成することができる。
【００３０】
持手部135は、側壁の一部を切り出した面と、この面の反対側には底面部133と垂直の壁部からなる面とが一体となって形成されるものである。これにより、引出部130を本体部110に収納した時に、引出部130の持手部135が本体部110の側壁と一体に見えるようにすることができる。
当止壁139は、高さが本体部110の内部空間の高さと略同じとされる板状体である。
底面部133の４辺のうち、壁部が形成されていない２辺には、底面部133を構成する板が多少突出することで係合スライド突起137が形成される。
なお、底面にすのこ状の棒状突出部が形成されることにより、ゲームシート200を引出部130に収納した際に、このゲームシート200が底面に密着して取り出しにくくなることを防ぎ、また、シートと底面との間に隙間を生じさせて、指をシートに引っ掛けて取り出し易くすることができる。
【００３１】
仮置部115は、引出部130が設けられる側壁と隣接する２つの側壁に、載置コマ300を載置可能に切り込みが列設されて形成される。この仮置部115には載置コマ300を仮置きすることができ、また、仮置部115の形状が装飾の役割も果たしており、ゲーム装置の見た目を美しいものとすることができる。
【００３２】
また、これらの側壁の内面に、棒状の突起と突起面とが突出して形成され、その間に隙間が設けられることでスライド溝117が形成される。
これにより、前記引出部130の係合スライド突起137とこのスライド溝117とを係合することができ、係合スライド突起とスライド溝とが摺動することにより、引出部130を本体部110に収納可能とすることができる。
【００３３】
ゲームシート200は、図５に示すように、正方形状の平面シートであり、30個程度の数字がランダムに記載されている。このゲームシート200として、さまざまなパターンの数字が印字されているものを複数枚用意するものとする。
このゲームシート200は、図６に示すように、装置本体100の引出部130の収納空間に複数枚重ねて収納される。これにより、図１に示したように、天板113のコマ置部119の透孔121から、一番上に重ねられているゲームシート200の数字を視認することができる。
【００３４】
また、さまざまなパターンのシートが用意されて装置本体100に収納されており、一番上に重ねるシートを取り替えることでさまざまなパターンのゲームを楽しむことが出来る。
【００３５】
またこのゲームシート200は、図７に示すように、８１個のマスが描かれたシートとしてもよく、このシートは、遊戯者がゲーム開始前に、新聞・雑誌・インターネットなどで紹介されている数字の配置をホワイトボード用マーカーなどで書き込むことができるものである。
これにより、遊戯者は自分の好きな初期条件の下でのゲームを楽しむことを可能とする。
【００３６】
載置コマ300は、図８に示すように、大きさの異なる２つの四角錐台の上面同士を重ね合わせた形状であり、大きい方の底面を下面とし、小さい方の底面を上面とする。
この下面の形状は四角形状であり、その大きさはコマ置部119と略同じかそれよりも多少小さくされ、また上面には１から９の数字のいずれかが印字されるものである。なお、数字を印字する面は、上面だけでなく、側面や下面などにも印字するものとしても良い。
そして、１から９までの載置コマ300をそれぞれ９個ずつ用意する。
【００３７】
以上に示したように、装置本体100とこの装置本体100に収納するゲームシート200、載置コマ300とを用いることで数字を並べるゲームを楽しむことができる。
その遊戯方法は以下に示すとおりである。
【００３８】
装置本体100を用意して、複数枚のゲームシート200の中からこれから楽しみたいゲームシート200を１枚選択する。そして選択したシートが一番上になるようにゲームシート200を重ねて、引出部130の収納部に収納し、そして引出部130を本体部110にしまう。
そうすると天板113の透孔121からゲームシート200に記載された数字が見えるので、先ずは数字の見えるコマ置部119に同じ数字が印字されている載置コマ300を載置してゲームの準備をする。
【００３９】
ゲームの準備が終わったら、どの行にも、どの列にも、そしてどのグループにも同じ数字の載置コマ300が重なって載置されることのないように、１から９の載置コマ300をコマ置部119に載置してゲームを進める。
全てのコマを載置し終えたら、引出部130を引き出して一番上のゲームシート200を取り出し、その裏面に記載されている正解と盤上の載置コマ300の配置を照らし合わせて、自分の解答が正解か否かを確認する。
【００４０】
このように、紙も鉛筆も用意することなく、手軽にゲームを楽しことができる。また、盤上にパズルが展開されることから、複数人で盤上の載置コマ300を確認しながら載置コマ300を置くことも出来、複数人でゲームを楽しむことを容易とすることができる。
【００４１】
装置本体100にさまざまなパターンのゲームシート200が収納されて用意されていることから、一番上に重ねるゲームシート200を取り替えるだけで、手軽にさまざまなパターンのゲームを楽しむことが出来る。
そして、ゲームシート200の裏面に正解を記載しておくことで、その答え合わせを容易とすることが出来る。
【００４２】
なお、コマ置部119の透孔121に透明の樹脂やガラスなどを嵌め込んでもよく、また、天板113は無色透明の板として、天板113の表面に凹条の窪みが列設されることでコマ置部が形成されるものとしてもよい。
【００４３】
コマ置部119の配列は、２行２列を１グループとして、縦に２グループ、横に２グループが配置されるものや、４行４列を１グループとして、縦に４グループ、横に４グループが配置されるものや、５行５列を１グループとして、縦に５グループ、横に５グループが配置されるものなどがあり、コマ置部の数が多くなるほど難易度は上昇する。
この場合、ゲームシート200に記載される数字もコマ置部119の配列数に合わせて記載され、使用される数字も１から16、１から24というようにコマ置部119の配列数に合わせるものとする。
【００４４】
また、ゲームシート200や載置コマ300に記載される文字は数字に限らず、アルファベットなどの文字や絵柄などが記載されたシートやコマとしても良く、また、文字別に色分けしてもよい。
【００４５】
また、本発明は、以上の実施例の形態に限定されるものでなく、発明の要旨を逸脱しない範囲で自由に変更、改良が可能である。
【図面の簡単な説明】
【００４６】
【図１】本発明に係るゲーム装置の外観を示す図。
【図２】本発明に係るゲーム装置の構造を示す分解斜視図。
【図３】本発明に係るゲーム装置の本体部の外観構造を示す図。
【図４】本発明に係るゲーム装置の内部構造と外観構造を示す図。
【図５】本発明に係るゲーム装置のゲームシートを示す平面図。
【図６】本発明に係るゲーム装置の使用状態の外観を示す図。
【図７】本発明に係るゲーム装置のゲームシートを示す平面図。
【図８】本発明に係るゲーム装置の載置コマの外観を示す図。
【符号の説明】
【００４７】
100    装置本体
110    本体部
113    天板
115    仮置部
117    スライド溝
119    コマ置部
121    透孔
123    載置部
130    引出部
133    底面部
135    持手部
137    係合スライド突起
139    当止壁
200    ゲームシート
300    載置コマ
【図１】
2007068694.tif 000003
【図２】
2007068694.tif 000004
【図３】
2007068694.tif 000005
【図４】
2007068694.tif 000006
【図５】
2007068694.tif 000007
【図６】
2007068694.tif 000008
【図７】
2007068694.tif 000009
【図８】
2007068694.tif 000010